(57)【要約】【課題】ＳＮＲ（Signal to Noise  Ratio）を向上することが出来るＭＲＩ用コイルを提供する。【解決手段】被検体の入る空間を挟んでｘ方向に対向する一対のマルチターン・コイル２０Ａ，２０Ｂからなり、マルチターン・コイル２０Ａの各ターンの中心はｙ方向の−側に偏っており、マルチターン・コイル２０Ｂの各ターンの中心はｙ方向の＋側に偏っている。【効果】マルチターン・コイルを用いるため、シングルターン・コイルに比べてコイル面直近での感度が大きくなり、十分高いＳＮＲが得られる。また、対向方向に平行なＦＯＶだけでなく、ｙ方向に平行なＦＯＶでもパラレルＭＲＩあるいはＳＥＮＳＥを行うことが出来る。【選択図】図２
2005296537.tif 000002
【特許請求の範囲】
【請求項１】
被検体の入る空間を挟んで対向する一対のコイルの少なくとも一方がマルチターン・コイルであるＭＲＩ用コイルを用いることを特徴とするＭＲ撮像方法。
【請求項２】
被検体の入る空間を挟んで対向すると共に巻き数およびピッチの少なくとも一方が異なる一対のマルチターン・コイルを用いることを特徴とするＭＲ撮像方法。
【請求項３】
請求項１または請求項２に記載のＭＲ撮像方法において、対向方向を位相エンコード方向とすることを特徴とするＭＲ撮像方法。
【請求項４】
請求項３に記載のＭＲ撮像方法において、位相エンコードステップを間引くことを特徴とするＭＲ撮像方法。
【請求項５】
請求項２に記載のＭＲ撮像方法において、コイル面に平行な方向を位相エンコード方向とすることを特徴とするＭＲ撮像方法。
【請求項６】
請求項５に記載のＭＲ撮像方法において、位相エンコードステップを間引くことを特徴とするＭＲ撮像方法。
【請求項７】
被検体の入る空間を取り巻くボビンの外周に異なる角度位置で配設した複数のコイルの少なくとも１つがマルチターン・コイルであるＭＲＩ用コイルを用いることを特徴とするＭＲ撮像方法。
【請求項８】
被検体の入る空間を取り巻くボビンの外周に異なる角度位置で複数のマルチターン・コイルを配設すると共に隣接角度位置のマルチターン・コイルの巻き数およびピッチの少なくとも一方を異ならせたＭＲＩ用コイルを用いることを特徴とするＭＲ撮像方法。
【請求項９】
被検体の入る空間に沿って隣接して並べた複数のコイルの少なくとも１つがマルチターン・コイルであるＭＲＩ用コイルを用いることを特徴とするＭＲ撮像方法。
【請求項１０】
被検体の入る空間を挟んで対向する一対の面の一方側に複数のマルチターン・コイルを隣接して並べると共に他方側にも複数のマルチターン・コイルを隣接して並べ且つ対向するマルチターン・コイルの巻き数およびピッチの少なくとも一方が異なり且つ隣接するマルチターン・コイルの巻き数およびピッチが同じか又は巻き数およびピッチの少なくとも一方が異なるＭＲＩ用コイルを用いることを特徴とするＭＲ撮像方法。
【請求項１１】
被検体の入る空間を挟んで対向する一対のコイルの少なくとも一方をマルチターン・コイルとしたことを特徴とするＭＲＩ用コイル。
【請求項１２】
被検体の入る空間を挟んで対向する一対のコイルをそれぞれマルチターン・コイルにすると共にそれらマルチターン・コイルの巻き数およびピッチの少なくとも一方が異なることを特徴とするＭＲＩ用コイル。
【請求項１３】
被検体の入る空間を取り巻くボビンの外周に異なる角度位置で配設した複数のコイルの少なくとも１つがマルチターン・コイルであることを特徴とするＭＲＩ用コイル。
【請求項１４】
被検体の入る空間を取り巻くボビンの外周に異なる角度位置で複数のマルチターン・コイルを配設すると共に隣接角度位置のマルチターン・コイルの巻き数およびピッチの少なくとも一方を異ならせたことを特徴とするＭＲＩ用コイル。
【請求項１５】
被検体の入る空間に沿って隣接して並べた複数のコイルの少なくとも１つがマルチターン・コイルであることを特徴とするＭＲＩ用コイル。
【請求項１６】
被検体の入る空間を挟んで対向する一対の面の一方側に複数のマルチターン・コイルを隣接して並べると共に他方側にも複数のマルチターン・コイルを隣接して並べ且つ対向するマルチターン・コイルの巻き数およびピッチの少なくとも一方が異なり且つ隣接するマルチターン・コイルの巻き数およびピッチが同じか又は巻き数およびピッチの少なくとも一方が異なることを特徴とするＭＲＩ用コイル。
【発明の詳細な説明】
【技術分野】
【０００１】
本発明は、ＭＲ（Magnetic Resonance）撮像方法およびＭＲＩ（Magnetic Resonance Imaging）用コイルに関し、さらに詳しくは、ＳＮＲ（Signal to Noise  Ratio）を向上することが出来るＭＲ撮像方法およびＭＲＩ用コイルに関する。
【背景技術】
【０００２】
従来、感度分布が互いに大きく異なる複数のコイルを位相エンコード方向に配置してパラレルＭＲＩを行うことが提案されている（例えば、特許文献１参照。）。なお、パラレルＭＲＩとは、撮影時間を短縮するために被検体からの信号を複数のコイルで並列に受信し処理してＭＲ画像を生成する技術をいう。
また、ＳＥＮＳＥ（Sensitivity Encoding）のＳＮＲが、ｇファクター（Geometry Factor）に反比例することが知られている（例えば、非特許文献１参照。）。なお、ＳＥＮＳＥとは、パラレルＭＲＩの一つであって、複数のコイルで並列に受信する代わりに位相エンコードステップを間引いて撮影時間を短縮する技術である。また、ｇファクターとは、コイルの設置位置とＳＥＮＳＥアルゴリズムにより決定される値である。
【特許文献１】特開２００３−７９５９５号公報（［０００９］）
【非特許文献１】蜂屋順一監修、外１名「ＭＲＩ応用自在」メジカルレビュー社、２００１年１１月１０日、ｐ．９−１０
【発明の開示】
【発明が解決しようとする課題】
【０００３】
従来のパラレルＭＲＩあるいはＳＥＮＳＥでは、被検体が入る空間を挟んで対向する一対のシングルターン・コイル（ターン数１のコイル）が用いられている。
しかし、シングルターン・コイルでは、コイル面直近での感度が大きくないため、対向方向の感度変化が大きくなく、ｇファクターが大きくなって、十分高いＳＮＲが得られない問題点がある。
そこで、本発明の目的は、ＳＮＲを向上することが出来るＭＲ撮像方法およびＭＲＩ用コイルを提供することにある。
【課題を解決するための手段】
【０００４】
第１の観点では、本発明は、被検体の入る空間を挟んで対向する一対のコイルの少なくとも一方がマルチターン・コイルであるＭＲＩ用コイルを用いることを特徴とするＭＲ撮像方法を提供する。
上記第１の観点によるＭＲ撮像方法では、マルチターン・コイル（ターン数２以上のコイル）を用いるため、シングルターン・コイルに比べてコイル面直近での感度が大きくなる。このため、対向方向の感度変化が大きくなり、ｇファクターが小さくなって、対向方向のＦＯＶについて十分高いＳＮＲが得られるようになる。
【０００５】
第２の観点では、本発明は、被検体の入る空間を挟んで対向すると共に巻き数およびピッチの少なくとも一方が異なる一対のマルチターン・コイルを用いることを特徴とするＭＲ撮像方法を提供する。
上記第２の観点によるＭＲ撮像方法では、一対のマルチターン・コイルを用いるため、シングルターン・コイルに比べてコイル面直近での感度が大きくなる。このため、対向方向の感度変化が大きくなり、ｇファクターが小さくなって、対向方向のＦＯＶについて十分高いＳＮＲが得られるようになる。
また、シングルターン・コイルでは、コイル面に平行な方向の感度分布が対称性を持つため、コイル面に平行な方向を位相エンコード方向にできない問題点があったが、上記第２の観点によるＭＲ撮像方法では、一対のマルチターン・コイルの巻き数およびピッチの少なくとも一方が異なるため、コイル面に平行な方向の感度分布を非対称化でき、コイル面に平行な方向を位相エンコード方向とすることが可能になる。つまり、コイル面に平行なＦＯＶを設定可能になる。
【０００６】
第３の観点では、本発明は、上記構成のＭＲ撮像方法において、対向方向を位相エンコード方向とすることを特徴とするＭＲ撮像方法を提供する。
上記第３の観点によるＭＲ撮像方法では、従来と同じくコイルの対向方向を位相エンコード方向とするため、従来の撮像アルゴリズムを流用することが出来る。
【０００７】
第４の観点では、本発明は、上記構成のＭＲ撮像方法において、位相エンコードステップを間引くことを特徴とするＭＲ撮像方法を提供する。
上記第４の観点によるＭＲ撮像方法では、対向方向に平行なＦＯＶでＭＲ撮像するのに要する時間を短縮することが出来る。
【０００８】
第５の観点では、本発明は、上記構成のＭＲ撮像方法において、コイル面に平行な方向を位相エンコード方向とすることを特徴とするＭＲ撮像方法を提供する。
上記第５の観点によるＭＲ撮像方法では、コイル面に平行なＦＯＶを設定することが出来る。
【０００９】
第６の観点では、本発明は、上記構成のＭＲ撮像方法において、位相エンコードステップを間引くことを特徴とするＭＲ撮像方法を提供する。
上記第６の観点によるＭＲ撮像方法では、コイル面に平行なＦＯＶでＭＲ撮像するのに要する時間を短縮することが出来る。
【００１０】
第７の観点では、本発明は、被検体の入る空間を取り巻くボビンの外周に異なる角度位置で配設した複数のコイルの少なくとも１つがマルチターン・コイルであるＭＲＩ用コイルを用いることを特徴とするＭＲ撮像方法を提供する。
上記第７の観点によるＭＲ撮像方法では、マルチターン・コイルを用いるため、シングルターン・コイルに比べてコイル面直近での感度が大きくなる。このため、ボビン半径方向の感度変化が大きくなり、ｇファクターが小さくなって、ボビン半径方向のＦＯＶについて十分高いＳＮＲが得られるようになる。
【００１１】
第８の観点では、本発明は、被検体の入る空間を取り巻くボビンの外周に異なる角度位置で複数のマルチターン・コイルを配設すると共に隣接角度位置のマルチターン・コイルの巻き数およびピッチの少なくとも一方を異ならせたＭＲＩ用コイルを用いることを特徴とするＭＲ撮像方法を提供する。
上記第８の観点によるＭＲ撮像方法では、マルチターン・コイルを用いるため、シングルターン・コイルに比べてコイル面直近での感度が大きくなる。このため、ボビン半径方向の感度変化が大きくなり、ｇファクターが小さくなって、ボビン半径方向のＦＯＶについて十分高いＳＮＲが得られるようになる。
また、シングルターン・コイルでは、ボビン中心軸方向の感度分布が対称性を持つため、ボビン中心軸方向を位相エンコード方向にできない問題点があったが、上記第８の観点によるＭＲ撮像方法では、各マルチターン・コイルの巻き数およびピッチの少なくとも一方が異なるため、ボビン中心軸方向の感度分布を非対称化でき、ボビン中心軸方向を位相エンコード方向とすることが可能になる。つまり、ボビン中心軸方向に平行なＦＯＶを設定可能になる。
【００１２】
第９の観点では、本発明は、被検体の入る空間に沿って隣接して並べた複数のコイルの少なくとも１つがマルチターン・コイルであるＭＲＩ用コイルを用いることを特徴とするＭＲ撮像方法を提供する。
被検体の入る空間に沿って複数のコイルを隣接して並べると、その隣接方向を位相エンコード方向に出来る。しかし、シングルターン・コイルでは、コイル面直近での感度が大きくないため、隣接方向の感度変化が小さく、ｇファクターが大きくなって、十分高いＳＮＲが得られない問題点があった。
これに対して、上記第９の観点によるＭＲ撮像方法では、マルチターン・コイルを用いるため、シングルターン・コイルに比べてコイル面直近での感度が大きくなる。このため、隣接方向の感度変化が大きくなり、ｇファクターが小さくなって、隣接方向のＦＯＶについて十分高いＳＮＲが得られるようになる。
【００１３】
第１０の観点では、本発明は、被検体の入る空間を挟んで対向する一対の面の一方側に複数のマルチターン・コイルを隣接して並べると共に他方側にも複数のマルチターン・コイルを隣接して並べ且つ対向するマルチターン・コイルの巻き数およびピッチの少なくとも一方が異なり且つ隣接するマルチターン・コイルの巻き数およびピッチが同じか又は巻き数およびピッチの少なくとも一方が異なるＭＲＩ用コイルを用いることを特徴とするＭＲ撮像方法を提供する。
上記第１０の観点によるＭＲ撮像方法では、マルチターン・コイルを用いるため、シングルターン・コイルに比べてコイル面直近での感度が大きくなる。このため、対向方向の感度変化が大きくなり、ｇファクターが小さくなって、対向方向のＦＯＶについて十分高いＳＮＲが得られるようになる。
また、マルチターン・コイルを隣接して並べているため、隣接方向の感度変化が大きくなり、ｇファクターが小さくなって、隣接方向のＦＯＶについても十分高いＳＮＲが得られるようになる。
【００１４】
第１１の観点では、本発明は、被検体の入る空間を挟んで対向する一対のコイルの少なくとも一方をマルチターン・コイルとしたことを特徴とするＭＲＩ用コイルを提供する。
上記第１１の観点によるＭＲI用コイルを用いると、前記第１の観点によるＭＲ撮像方法を好適に実施できる。
【００１５】
第１２の観点では、本発明は、被検体の入る空間を挟んで対向する一対のコイルをそれぞれマルチターン・コイルにすると共にそれらマルチターン・コイルの巻き数およびピッチの少なくとも一方が異なることを特徴とするＭＲＩ用コイルを提供する。
上記第１２の観点によるＭＲI用コイルを用いると、前記第２の観点によるＭＲ撮像方法を好適に実施できる。
【００１６】
第１３の観点では、本発明は、被検体の入る空間を取り巻くボビンの外周に異なる角度位置で配設した複数のコイルの少なくとも１つがマルチターン・コイルであることを特徴とするＭＲＩ用コイルを提供する。
上記第１３の観点によるＭＲI用コイルを用いると、前記第７の観点によるＭＲ撮像方法を好適に実施できる。
【００１７】
第１４の観点では、本発明は、被検体の入る空間を取り巻くボビンの外周に異なる角度位置で複数のマルチターン・コイルを配設すると共に隣接角度位置のマルチターン・コイルの巻き数およびピッチの少なくとも一方を異ならせたことを特徴とするＭＲＩ用コイルを提供する。
上記第１４の観点によるＭＲI用コイルを用いると、前記第８の観点によるＭＲ撮像方法を好適に実施できる。
【００１８】
第１５の観点では、本発明は、被検体の入る空間に沿って隣接して並べた複数のコイルの少なくとも１つがマルチターン・コイルであることを特徴とするＭＲＩ用コイルを提供する。
上記第１５の観点によるＭＲI用コイルを用いると、前記第９の観点によるＭＲ撮像方法を好適に実施できる。
【００１９】
第１６の観点では、本発明は、被検体の入る空間を挟んで対向する一対の面の一方側に複数のマルチターン・コイルを隣接して並べると共に他方側にも複数のマルチターン・コイルを隣接して並べ且つ対向するマルチターン・コイルの巻き数およびピッチの少なくとも一方が異なり且つ隣接するマルチターン・コイルの巻き数およびピッチが同じか又は巻き数およびピッチの少なくとも一方が異なることを特徴とするＭＲＩ用コイルを提供する。
上記第１６の観点によるＭＲI用コイルを用いると、前記第１０の観点によるＭＲ撮像方法を好適に実施できる。
【発明の効果】
【００２０】
本発明のＭＲ撮像方法およびＭＲＩ用コイルによれば、マルチターン・コイルを用いるため、コイル面直近での感度が大きくなり、ｇファクターが小さくなって、十分高いＳＮＲが得られるようになる。
【発明を実施するための最良の形態】
【００２１】
以下、図に示す実施例により本発明をさらに詳しく説明する。なお、これにより本発明が限定されるものではない。
【実施例１】
【００２２】
図１の（ａ）は、実施例１に係るＭＲＩ用コイル１００を示す斜視図である。
このＭＲＩ用コイル１００は、被検体の入る空間を挟んでｘ方向に対向する一対のコイルの一方がマルチターン・コイル１０Ａであり、他方がシングルターン・コイル１０Ｂである。
マルチターン・コイル１０Ａおよびシングルターン・コイル１０Ｂのコイル面は、ｙｚ面となる。
【００２３】
図１の（ｂ）は、マルチターン・コイル１０Ａおよびシングルターン・コイル１０Ｂのｘ方向の感度分布図である。
マルチターン・コイル１０Ａの感度分布Ｓａは、コイル面直近での感度が大きくなる。また、対向方向の感度変化が大きくなる。このため、ｇファクターが小さくなって、対向方向のＦＯＶについて十分高いＳＮＲが得られるようになる。
シングルターン・コイル１０Ｂの感度分布Ｓｂは、コイル面直近での感度が小さい。また、対向方向の感度変化が小さい。このため、ｇファクターが大きくなって、対向方向のＦＯＶについて十分高いＳＮＲが得られない。但し、構造が簡単になる。
【００２４】
このため、図１の（ａ）に示すような対向方向（ｘ方向）に平行なＦＯＶで、対向方向を位相エンコード方向として、パラレルＭＲＩあるいはＳＥＮＳＥを行うことが出来る。そして、位相エンコードステップを間引くことにより撮像時間を短縮することが出来る。
【００２５】
実施例１のＭＲＩ用コイル１００を用いてパラレルＭＲＩあるいはＳＥＮＳＥでＭＲ撮像すれば、ＳＮＲを向上することが出来る。
【実施例２】
【００２６】
図２の（ａ）は、実施例２に係るＭＲＩ用コイル２００を示す斜視図である。
このＭＲＩ用コイル２００は、被検体の入る空間を挟んでｘ方向に対向する一対のマルチターン・コイル２０Ａ，２０Ｂからなる。
マルチターン・コイル２０Ａ，２０Ｂのコイル面は、ｙｚ面となる。
【００２７】
マルチターン・コイル２０Ａ，２０Ｂのｙ方向のコイルピッチは、異なっている。すなわち、マルチターン・コイル２０Ａの各ターンの中心はｙ方向の−側に偏っており、マルチターン・コイル２０Ｂの各ターンの中心はｙ方向の＋側に偏っている。
【００２８】
図２の（ｂ）は、マルチターン・コイル２０Ａ，２０Ｂのｙ方向の感度分布図である。
マルチターン・コイル２０Ａの感度分布Ｓａは、ｙ方向の−側で大きくなり、＋側へいくほど小さくなる。逆に、マルチターン・コイル２０Ｂの感度分布Ｓｂは、ｙ方向の＋側で大きくなり、−側へいくほど小さくなる。
【００２９】
このため、図２の（ａ）に示すようなｙ方向に平行なＦＯＶで、ｙ方向を位相エンコード方向として、パラレルＭＲＩあるいはＳＥＮＳＥを行うことが出来る。そして、位相エンコードステップを間引くことにより撮像時間を短縮することが出来る。
【００３０】
なお、実施例１と同様に、対向方向に平行なＦＯＶで、対向方向を位相エンコード方向として、パラレルＭＲＩあるいはＳＥＮＳＥを行うことも出来る。そして、位相エンコードステップを間引くことにより撮像時間を短縮することが出来る。
【００３１】
実施例２のＭＲＩ用コイル２００を用いてパラレルＭＲＩあるいはＳＥＮＳＥでＭＲ撮像すれば、ＳＮＲを向上することが出来る。
【実施例３】
【００３２】
図３は、実施例３に係るＭＲＩ用コイル３００を示す斜視図である。
このＭＲＩ用コイル３００は、被検体の入る空間を取り巻く円筒状のボビン３１の外周に９０゜ずつ異なる角度位置で配置した４個のマルチターン・コイル３０Ａ，３０Ｂ，３０Ｃ，３０Ｄからなる。
【００３３】
図４は、ＭＲＩ用コイル３００の展開図である。
マルチターン・コイル３０Ａ〜３０Ｄのボビン中心軸方向（ｃ方向）のコイルピッチは、隣接するコイル同士では異なっている。すなわち、マルチターン・コイル３０Ａ，３０Ｃの各ターンの中心は図４の左側に偏っており、マルチターン・コイル３０Ｂ，３０Ｄの各ターンの中心は図４の右側に偏っている。
従って、マルチターン・コイル３０Ａ，３０Ｃの感度分布は、図４の左側で大きくなり、右側へいくほど小さくなる。逆に、マルチターン・コイル３０Ｂ，３０Ｄの感度分布は、図４の右側で大きくなり、左側へいくほど小さくなる。
【００３４】
このため、ｃ方向に平行なＦＯＶで、ｃ方向を位相エンコード方向として、パラレルＭＲＩあるいはＳＥＮＳＥを行うことが出来る。そして、位相エンコードステップを間引くことにより撮像時間を短縮することが出来る。
【００３５】
なお、実施例１と同様に、半径方向に平行なＦＯＶで、マルチターン・コイル３０Ａ，３０Ｃの対向方向またはマルチターン・コイル３０Ｂ，３０Ｄの対向方向を位相エンコード方向として、パラレルＭＲＩあるいはＳＥＮＳＥを行うことも出来る。そして、位相エンコードステップを間引くことにより撮像時間を短縮することが出来る。
【００３６】
実施例３のＭＲＩ用コイル３００を用いてパラレルＭＲＩあるいはＳＥＮＳＥでＭＲ撮像すれば、ＳＮＲを向上することが出来る。
【実施例４】
【００３７】
図５は、実施例４に係るＭＲＩ用コイル４００を示す斜視図である。
このＭＲＩ用コイル４００は、被検体の入る空間を挟んで対向する一対の面の一方側に隣接して並べたマルチターン・コイル４０Ａ，４０Ｂと、他方側に隣接して並べたマルチターン・コイル４０Ｃ，４０Ｄからなる。
マルチターン・コイル４０Ａ〜４０Ｄのコイル面は、ｘｚ面である。
マルチターン・コイル４０Ａ，４０Ｂは、ｘ方向に隣接している。
マルチターン・コイル４０Ｃ，４０Ｄは、ｘ方向に隣接している。
マルチターン・コイル４０Ａおよび４０Ｂとマルチターン・コイル４０Ｃおよび４０Ｄとは、ｙ方向に対向している。
【００３８】
対向しているマルチターン・コイル４０Ａ，４０Ｃのｚ方向のコイルピッチは、異なっている。すなわち、マルチターン・コイル４０Ａの各ターンの中心はｚ方向の−側に偏っており、マルチターン・コイル４０Ｃの各ターンの中心はｚ方向の＋側に偏っている。
同様に、対向しているマルチターン・コイル４０Ｂ，４０Ｄのｚ方向のコイルピッチは、異なっている。すなわち、マルチターン・コイル４０Ｂの各ターンの中心はｚ方向の−側に偏っており、マルチターン・コイル４０Ｄの各ターンの中心はｚ方向の＋側に偏っている。
【００３９】
このため、ｚ方向に平行なＦＯＶで、ｚ方向を位相エンコード方向として、パラレルＭＲＩあるいはＳＥＮＳＥを行うことが出来る。そして、位相エンコードステップを間引くことにより撮像時間を短縮することが出来る。
【００４０】
なお、実施例１と同様に、対向方向（ｙ方向）に平行なＦＯＶで、対向方向を位相エンコード方向として、パラレルＭＲＩあるいはＳＥＮＳＥを行うことも出来る。そして、位相エンコードステップを間引くことにより撮像時間を短縮することが出来る。
また、隣接方向（ｘ方向）に平行なＦＯＶで、隣接方向を位相エンコード方向として、パラレルＭＲＩあるいはＳＥＮＳＥを行うことも出来る。そして、位相エンコードステップを間引くことにより撮像時間を短縮することが出来る。
【００４１】
実施例４のＭＲＩ用コイル４００を用いてパラレルＭＲＩあるいはＳＥＮＳＥでＭＲ撮像すれば、ＳＮＲを向上することが出来る。
【実施例５】
【００４２】
図６は、実施例５に係るＭＲＩ用コイル５００を示す斜視図である。
このＭＲＩ用コイル５００は、被検体の入る空間を挟んで対向する一対の面の一方側に隣接して並べたマルチターン・コイル５０Ａ，５０Ｂと、他方側に隣接して並べたマルチターン・コイル５０Ｃ，５０Ｄからなる。
マルチターン・コイル５０Ａ〜５０Ｄのコイル面は、ｘｚ面である。
マルチターン・コイル５０Ａ，５０Ｂは、ｘ方向に隣接している。
マルチターン・コイル５０Ｃ，５０Ｄは、ｘ方向に隣接している。
マルチターン・コイル５０Ａおよび５０Ｂとマルチターン・コイル５０Ｃおよび５０Ｄとは、ｙ方向に対向している。
【００４３】
対向しているマルチターン・コイル５０Ａ，５０Ｃのｚ方向のコイルピッチは、異なっている。すなわち、マルチターン・コイル５０Ａの各ターンの中心はｚ方向の−側に偏っており、マルチターン・コイル５０Ｃの各ターンの中心はｚ方向の＋側に偏っている。
同様に、対向しているマルチターン・コイル５０Ｂ，５０Ｄのｚ方向のコイルピッチは、異なっている。すなわち、マルチターン・コイル５０Ｂの各ターンの中心はｚ方向の＋側に偏っており、マルチターン・コイル５０Ｄの各ターンの中心はｚ方向の−側に偏っている。
従って、隣接しているマルチターン・コイル５０Ａ，５０Ｂのｚ方向のコイルピッチも異なることになる。また、隣接しているマルチターン・コイル５０Ｃ，５０Ｄのｚ方向のコイルピッチも異なることになる。
【００４４】
このため、ｚ方向に平行なＦＯＶで、ｚ方向を位相エンコード方向として、パラレルＭＲＩあるいはＳＥＮＳＥを行うことが出来る。そして、位相エンコードステップを間引くことにより撮像時間を短縮することが出来る。
【００４５】
なお、実施例１と同様に、対向方向（ｙ方向）に平行なＦＯＶで、対向方向を位相エンコード方向として、パラレルＭＲＩあるいはＳＥＮＳＥを行うことも出来る。そして、位相エンコードステップを間引くことにより撮像時間を短縮することが出来る。
また、隣接方向（ｘ方向）に平行なＦＯＶで、隣接方向を位相エンコード方向として、パラレルＭＲＩあるいはＳＥＮＳＥを行うことも出来る。そして、位相エンコードステップを間引くことにより撮像時間を短縮することが出来る。
【００４６】
実施例５のＭＲＩ用コイル５００を用いてパラレルＭＲＩあるいはＳＥＮＳＥでＭＲ撮像すれば、ＳＮＲを向上することが出来る。
【実施例６】
【００４７】
実施例２〜５では、コイルピッチを異ならせて所望の感度分布を得たが、コイルピッチの代わりに又はコイルピッチに加えて、巻き数を異ならせて所望の感度分布を得てもよい。
【産業上の利用可能性】
【００４８】
本発明のＭＲＩ用コイルは、短い撮像時間が好ましいＭＲ撮像（心臓，肺，肝臓，膵臓，末梢血管の撮像や造影剤注入撮像）に利用できる。
【図面の簡単な説明】
【００４９】
【図１】実施例１にかかるＭＲＩ用コイルの斜視図および感度分布図である。
【図２】実施例２にかかるＭＲＩ用コイルの斜視図および感度分布図である。
【図３】実施例３にかかるＭＲＩ用コイルの斜視図である。
【図４】実施例３にかかるＭＲＩ用コイルの展開図である。
【図５】実施例４にかかるＭＲＩ用コイルの斜視図である。
【図６】実施例５にかかるＭＲＩ用コイルの斜視図である。
【符号の説明】
【００５０】
１０Ａ                              マルチターン・コイル
１０Ｂ                              シングルターン・コイル
２０Ａ，２０Ｂ                      マルチターン・コイル
３０Ａ〜３０Ｄ                      マルチターン・コイル
４０Ａ〜４０Ｄ                      マルチターン・コイル
５０Ａ〜５０Ｄ                      マルチターン・コイル
１００〜５００                      ＭＲＩ用コイル
【図１】
2005296537.tif 000003
【図２】
2005296537.tif 000004
【図３】
2005296537.tif 000005
【図４】
2005296537.tif 000006
【図５】
2005296537.tif 000007
【図６】
2005296537.tif 000008